(57)【要約】【課題】撮影画像に関する情報を、ユーザが把握しやすい形で提示することのできる地図表示装置及び地図表示方法を提供する。【解決手段】  画像に対応する位置情報と、該画像の対象物の位置情報とを含む画像情報を受信する画像取得部４０１と、受信した画像情報に基づき、画像に対応する位置及び該画像の対象物の位置を地図上に示す地図表示制御部４０７ｄとを備える。【選択図】図６
2013104973.tif 000002
【特許請求の範囲】
【請求項１】
画像に対応する位置情報と、該画像の対象物の位置情報とを含む画像情報を受信する受信手段と、
受信した前記画像情報に基づき、前記画像に対応する位置及び該画像の対象物の位置を地図上に示す地図表示手段と
を備える、地図表示装置。
【請求項２】
前記画像情報に対応する前記画像を表示する画像表示手段と、
ユーザからの入力を受ける入力手段と
を更に備え、
前記地図表示手段は、前記入力手段が入力を受けた場合に、前記画像情報に基づいて、前記画像に対応する位置及び対象物の位置を前記地図上に示す、
請求項１記載の地図表示装置。
【請求項３】
前記画像情報のうち、前記画像に対応する位置情報又は前記画像の対象物の位置情報の少なくとも一方に基づいて前記地図を要求する地図取得手段
を更に備える、請求項１又は請求項２に記載の地図表示装置。
【請求項４】
前記画像は撮影された画像であり、
前記画像の撮影に係る設定情報を表示する設定表示手段を更に備える、
請求項１乃至請求項３のいずれか１項に記載の地図表示装置。
【請求項５】
地図表示装置が、
画像に対応する位置情報と、該画像の対象物の位置情報とを含む画像情報を受信するステップと、
受信した前記画像情報に基づき、前記画像に対応する位置及び該画像の対象物の位置を地図上に示すステップと
を行う、地図表示方法。
【発明の詳細な説明】
【技術分野】
【０００１】
本発明に係るいくつかの態様は、地図表示装置及び地図表示方法に関する。
【背景技術】
【０００２】
近年、例えばＧＰＳ（Ｇｌｏｂａｌ  Ｐｏｓｉｔｉｏｎｉｎｇ  Ｓｙｓｔｅｍ）から位置情報を取得する機能や、カメラ機能を有した、いわゆるスマートフォンと呼ばれる高機能な携帯電話等の、位置情報とカメラ機能との両方を備えた携帯型端末が普及しつつある。このような高機能な携帯型端末は、写真撮影に際して、さまざまな機能を提供することが可能となる。
【０００３】
例えば特許文献１には、サーバから被写体情報を取得したり、現在位置を特定したりすることにより、移動後の位置を予測した上で、撮影モードを設定すると共に、被写体情報に係る撮影位置や撮影方向等へユーザをアシストする携帯電話が開示されている。より具体的には、特許文献１記載の携帯電話は、例えば画面に「３１０°方向に５０ｍ、１０ｍ登ってください。」といったメッセージを表示することによりユーザに撮影位置をアシストし、その後、同様に撮影方向等に関するメッセージを表示する。
【先行技術文献】
【特許文献】
【０００４】
【特許文献１】特開２００９−２２５２７９号公報
【発明の概要】
【発明が解決しようとする課題】
【０００５】
しかしながら、特許文献１記載の手法では、ユーザは「３１０°方向」や「５０ｍ」等の数値を意識しながら画面を確認した上で撮影位置まで移動し、その後、撮影位置で方向等に関する情報を確認しなければならない。つまり、撮影画像に関する撮影位置や被写体の情報等をユーザが把握しづらいという課題があった。
【０００６】
本発明のいくつかの態様は前述の課題に鑑みてなされたものであり、撮影画像に関する情報を、ユーザが把握しやすい形で提示することのできる地図表示装置及び地図表示方法を提供することを目的の１つとする。
【課題を解決するための手段】
【０００７】
本発明の地図表示装置は、画像に対応する位置情報と、該画像の対象物の位置情報とを含む画像情報を受信する受信手段と、受信した前記画像情報に基づき、前記画像に対応する位置及び該画像の対象物の位置を地図上に示す地図表示手段とを備える。
【０００８】
本発明の地図表示方法は、地図表示装置が、画像に対応する位置情報と、該画像の対象物の位置情報とを含む画像情報を受信するステップと、受信した前記画像情報に基づき、前記画像に対応する位置及び該画像の対象物の位置を地図上に示すステップとを行う。
【０００９】
尚、本発明において、「部」や「手段」とは、単に物理的手段を意味するものではなく、その「部」や「手段」が有する機能をソフトウェアによって実現する場合も含む。また、１つの「部」や「手段」が有する機能が２つ以上の物理的手段や装置により実現されても、２つ以上の「部」や「手段」の機能が１つの物理的手段や装置により実現されても良い。
【発明の効果】
【００１０】
本発明によれば、撮影画像に関する情報を、ユーザが把握しやすい形で提示することのできる地図表示装置及び地図表示方法を提供することができる。
【図面の簡単な説明】
【００１１】
【図１】本発明の実施形態における携帯端末が使用される情報処理システムの機能構成を示す図である。
【図２】図１に示した携帯端末が表示する表示画面の具体例を示す図である。
【図３】図１に示した携帯端末が表示する表示画面の具体例を示す図である。
【図４】図１に示した携帯端末が表示する表示画面の具体例を示す図である。
【図５】図１に示した携帯端末が表示する表示画面の具体例を示す図である。
【図６】図１に示した携帯端末が実行可能なアプリケーションの機能構成を示す図である。
【図７】アプリ用サーバの施設情報ＤＢの具体例を示す図である。
【図８】アプリ用サーバの画像情報ＤＢの具体例を示す図である。
【図９】図１に示した携帯端末の撮影画像の撮影位置等を表示する際の流れを示すフローチャートである。
【発明を実施するための形態】
【００１２】
以下に本発明の実施形態を説明する。以下の説明及び参照する図面の記載において、同一又は類似の構成には、それぞれ同一又は類似の符号が付されている。
【００１３】
（実施形態）
図１乃至図９は、本発明の実施形態を説明するための図である。以下、これらの図を参照しながら、以下の流れに沿って本実施形態を説明する。まず「１」で実施形態全体の概要を示す。その上で、「２」でシステム全体の構成を、「３」でソフトウェア構成を、「４」でデータベースの構成を説明する。「５」では、処理の流れを説明する。最後に、「６」以降で、本実施形態に係る効果や他の実施形態等を説明する。
【００１４】
（１  概要）
図１は、本発明に係る地図表示装置の実施形態に係る携帯端末１００が含まれる情報処理システムの概略構成を示す図である。図１に示すように、情報処理システム１は、携帯端末１００、アプリ用サーバ２００、及び基地局３００を含んでいる。アプリ用サーバ２００及び基地局３００は、それぞれネットワークＮに接続されている。
尚、本実施形態では、場合によって「アプリケーション」及び「アプリ」の２種類の表記が使用されているが、両者は同一の意味である。
【００１５】
携帯端末１００は、例えば携帯電話や携帯情報端末等のユーザ端末であり、アプリケーション４００や、その他のアプリケーションを実行することにより、各種機能をユーザに提供することができる。尚、図１には説明を簡略化するために携帯端末１００が１台しか図示されていないが、複数台存在していても良い。携帯端末１００の詳細構成には後述する。
【００１６】
ここで、携帯端末１００が実行するアプリケーション４００は、例えば観光用アプリケーションであり、アプリ用サーバ２００と連携することで、写真などで視覚的に観光スポットの情報やグルメ情報等をユーザに提供するためのアプリケーションである。より詳細に述べると、さまざまな観光名所の写真やイラスト（絵画等も含む）等の画像をユーザに提示する機能や、その中でユーザが興味を持った写真や周辺の観光名所を提示する機能、観光ルートプランを提供する機能等をアプリケーション４００は有する。
【００１７】
更にアプリケーション４００は、観光スポット等の撮像画像（例えば、カメラで撮影された写真）を表示する際に、当該撮像画像の撮影に使用した際の設定条件（絞り値や、カメラの機種、天気等を含む）をユーザに提示することもできる。また、地図上に、被写体である観光スポット等の被写体の位置の情報と、その被写体を撮影した撮影位置（撮影画像に対応する位置）の情報とを、地図上に示す機能も有する。
【００１８】
これによりユーザは、直感的に撮影地などを把握すると共に、アプリケーション４００が表示している撮像画像の撮影条件を認識することができるので、その条件に合わせることで、表示している画像と全く同一か、近い条件で写真を撮影することができるようになる。この点について、図２乃至図５を参照しながら説明する。
【００１９】
前述の通り、アプリケーション４００は、アプリ用サーバ２００から受信した写真（撮影画像）等の画像を提示する機能を有する。図２は、アプリケーション４００が、観光スポット等の画像を表示した表示画面１４０ａの具体例を示す図である。
【００２０】
図２の例では、表示画面１４０ａ上にアイコン１４１が配置されている。アイコン１４１については後に説明するが、ユーザにより「インフォ」アイコン１４１ｂが選択されると、アプリケーション４００は、表示している画像に係る施設の施設情報をアプリ用サーバ２００から取得して、表示部１４０上に表示する。
【００２１】
図３が、アプリケーション４００が施設情報を表示部１４０に表示した際の表示画面１４０ｂの例である。図３に示す表示画面１４０ｂの例では、施設情報として、施設の名称や説明文、電話番号や住所等の他、当該施設（観光スポット）の画像を画像領域１４３に表示している。この画像領域１４３に表示された複数の画像は、ユーザ操作により１つを選択することができるようになっている。選択された画像が撮影画像である場合には、「撮影情報」ボタン１４５が表示画面１４０ｂ上に表示される。
【００２２】
図４は、ユーザが撮影情報の表示を選択した場合に表示部１４０に表示される表示画面１４０ｃの例である。図４の表示画面１４０ｃの例では、撮影時の天気や撮影に使用されたカメラの種類、絞り値等の撮影条件（設定情報ともいう）が表示部１４０に表示されている。
【００２３】
また、図４の表示画面１４０ｃの例では、撮影画像にかかる撮影対象（施設／観光スポット等の被写体）と撮影ポイントの位置とを確認するための「撮影ポイントの位置」ボタン１４７が表示されている。ユーザが「撮影ポイントの位置」ボタン１４７を選択すると、アプリケーション４００は、撮影対象の位置と撮影ポイントとを地図上に示した表示画面１４０ｄを表示する。図５は、撮影対象の位置と撮影ポイントとを地図上に示した表示画面１４０ｄの例である。
【００２４】
図５の表示画面１４０ｄの例では、撮影対象の位置を位置アイコン１４９ａで、撮影ポイントの位置を位置アイコン１４９ｂで示している。これにより、ユーザは直感的に撮影位置や撮影ポイント等の情報を知ることができる。また、わざわざ移動せずとも、携帯端末１００の操作だけで、撮影位置等の情報を知ることができる。
アプリケーション４００の機能や構成等については、後に詳述する。
【００２５】
（２  システム構成）
図１を参照しながら、本実施形態の機能構成を説明する。
前述の通り、本実施形態に係る情報処理システム１は、携帯端末１００、アプリ用サーバ２００、基地局３００を含む。以下、これらの構成について説明する。
【００２６】
アプリ用サーバ２００は、携帯端末１００上で実行されるアプリケーション４００からの要求に応じて、画像（画像情報）を送信したり、施設情報を送信したり、地図を送信したりする機能を提供する情報処理装置である。アプリ用サーバ２００は、通信部２１０、制御部２２０、及びデータベース２３０を含む。
通信部２１０は、ネットワークＮを介して携帯端末１００や他の情報処理装置との間でデータを送受信することができる。
【００２７】
制御部２２０は、アプリ用サーバ２００における各種処理を制御する。例えば、本実施形態では、制御部２２０は、アプリケーション４００からの要求に応じて、画像取得要求で指定された地域等の条件に合う画像（当該画像を含む画像情報）を画像情報ＤＢ２３５から取得し、通信部３１０を介して携帯端末１００に送信する。
【００２８】
尚ここで、先述の通り、画像情報ＤＢ２３５上で管理される各画像情報には、画像ＩＤ等の識別子の他に、当該画像が撮影画像（写真）である場合には、撮影位置（緯度経度等の座標）や被写体の位置（同じく、緯度経度等の座標）、撮影機器や天気等の設定情報、等の情報が含まれる。画像情報ＤＢ２３５については、図８を参照しながら後に詳述する。
【００２９】
また、携帯端末１００から（例えば、ユーザが指定した画像に関する施設情報を表示する場合等に）施設情報の取得要求を受信すると、制御部２２０は、指定された施設の施設情報を施設情報ＤＢ２３３から取得して、通信部２１０を介して携帯端末１００に送信する。
【００３０】
更に、施設や、表示している撮影画像の撮影位置／被写体位置等の周辺等に関する地図取得要求をアプリケーション４００から通信部２１０で受信すると、制御部２２０は、当該要求で指定された緯度経度（位置）や縮尺などの条件に合う地図を地図ＤＢ２３１から取得して、通信部２１０を介して携帯端末１００へ送信する。
【００３１】
続いて、携帯端末１００の構成を説明する。図１に示すように、携帯端末１００は、主制御部１１０、無線通信部１２０、入力部１３０、表示部１４０、音声出力部１５０、及びセンサ１６０を含む。
【００３２】
主制御部１１０は、携帯端末１００における各種処理を制御するものであり、ＣＰＵ（Ｃｅｎｔｒａｌ  Ｐｒｏｃｅｓｓｉｎｇ  Ｕｎｉｔ）１１１、ＲＡＭ（Ｒａｎｄｏｍ  Ａｃｃｅｓｓ  Ｍｅｍｏｒｙ）１１３、及びＲＯＭ（Ｒｅａｄ  Ｏｎｌｙ  Ｍｅｍｏｒｙ）１１５等から構成される。主制御部１１０では、ＲＡＭ１１３やＲＯＭ１１５等の記録領域を用いながら、ＣＰＵ１１１が、同記憶領域に格納されたアプリケーション４００等のプログラムを実行することにより、携帯端末１００が提供する各種機能を実現することができる。
無線通信部１２０は、基地局３００との間で無線通信することにより、ネットワークＮを介して他の情報処理装置との間でデータを送受信することができる。
【００３３】
入力部１３０は、携帯端末１００に対するユーザからの入力を受け付けるものであり、例えば、入力キーやタッチパネル等である。尚、入力部１３０は、ユーザからの音声入力を受け付けて入力情報として出力する機能を有しても良い。
【００３４】
表示部１４０は、各種情報を表示することで、それらの情報をユーザに提示するディスプレイである。本実施形態では、表示部１４０は、地図や画像、施設情報、撮影情報等の各種情報を表示する。
音声出力部１５０は、音声情報をユーザに出力するスピーカである。例えば、経路案内に伴う音声案内の情報等を音声出力部１５０が出力する。
【００３５】
センサ１６０は、携帯端末１００のユーザの移動状態に応じて変化する検出信号を出力するものであり、例えば、加速度センサ１６１やＧＰＳ（Ｇｌｏｂａｌ  Ｐｏｓｉｔｉｏｎｉｎｇ  Ｓｙｓｔｅｍ）受信機１６３等を含む。具体的には、センサ１６０から出力される検出信号には、加速度センサ１６１から出力される、加速度を示す加速度情報や、ＧＰＳ受信機１６３から出力される携帯端末１００の現在位置を示す情報が含まれる。
【００３６】
（３  ソフトウェアの機能）
次に、図６を参照しながら、アプリケーション４００の機能構成を説明する。図６は、アプリケーション４００の構成を示す機能ブロック図である。
アプリケーション４００は、画像取得部４０１と、施設情報取得部４０３と、地図取得部４０５と、ユーザインタフェース部４０７とを有する。
【００３７】
画像取得部４０１は、例えば観光地等の写真やイラスト等の画像を表示する際に、アプリ用サーバ２００から画像を含む画像情報を取得する。取得した画像は、画像情報表示制御部４０７ｂが、図２に示したように表示画面１４０ａとして全画面表示する。
【００３８】
ここで、表示画面１４０ａ上には、取得した画像だけでなく、アイコン１４１が配置されている。アイコン１４１のうちいずれかを選択する操作を入力処理部４０７ａが受け付けると、アプリケーション４００を構成する各構成要素は、選択されたアイコン１４１に応じた機能をユーザに提供する。
【００３９】
「地図」アイコン１４１ａを選択する入力部１３０へのユーザ操作を入力処理部４０７ａが受け付けると、地図取得部４０５は、表示画面１４０ｂ上に表示している画像に関する施設（地点）周辺の地図を、アプリ用サーバ２００から取得して地図表示制御部４０７ｄに表示させる。このとき、地図取得部４０５は、アプリ用サーバ２００に、例えば施設や地点の緯度経度等を指定して地図を要求する。
【００４０】
「インフォ」アイコン１４１ｂの選択操作を入力処理部４０７ａが受け付けると、施設情報取得部４０３は、表示画面１４０ａに表示している画像に紐付けられた画像の施設情報を取得して、施設情報表示制御部４０７ｃが表示画面１４０ｂ上に表示する。表示画面１４０ｂ上に表示される情報は、図３に例を示すように、施設の名称や住所、電話番号や説明文である。
【００４１】
尚、図３に例を示した表示画面１４０ｂ上には、先述の通り画像領域１４３が設けられる。画像領域１４３には、画像取得部４０１がアプリ用サーバ２００から画像情報として取得した、当該施設に関係する１以上の画像が、画像情報表示制御部４０７ｂ又は施設情報表示制御部４０７ｃにより表示される。
【００４２】
画像領域１４３上に表示された１以上の画像は、入力部１３０へのユーザ操作により１つを選択することができるようになっている。選択された画像が撮影画像である場合には、画像情報表示制御部４０７ｂ（又は施設情報表示制御部４０７ｃ）は、「撮影情報」ボタン１４５を選択可能に表示画面１４０ｂ上に表示する。このとき画像情報表示制御部４０７ｂは、ユーザに選択された画像が撮影画像ではない場合（イラストや絵画等の画像）である場合には、「撮影画像」ボタン１４５は表示されないか、若しくはユーザが選択できない状態で表示する。
【００４３】
撮影情報を表示する際には、画像情報表示制御部４０７ｂは、例えば図４に例を示す表示画面１４０ｃを生成して、表示部１４０に表示する。図４の表示画面１４０ｃの例では、撮影時の天気や撮影に使用されたカメラの種類、絞り値等の撮影条件（設定情報）を表示している。これらの情報は、画像を含む画像情報の一部として、画像取得部４０１がアプリ用サーバ２００から取得する。
【００４４】
尚、図４の例では設定情報として、カメラの種類や絞り値等についてしか記載していないが、これに限られるものではない。画像情報表示制御部４０７ｂは、例えば、シャッタースピードや焦点距離、ホワイトバランスなどの補正条件や、ストロボの発光条件等についても、表示画面１４０ｃ上に表示にしても良い。その際には、これらの情報も、画像取得部４０１が、画像情報の一部としてアプリ用サーバ２００から取得することができる。
【００４５】
更に、図４の表示画面１４０ｃの例では、撮影画像に係る撮影対象（施設／観光スポット等の被写体）の位置と撮影ポイント（撮影場所）とを地図上で確認するための「撮影ポイントの位置」ボタン１４７を画像情報表示制御部４０７ｂは表示している。入力処理部４０７ａが「撮影ポイントの位置」ボタン１４７を選択する操作を受け付けると、地図取得部４０５は、画像情報に含まれる被写体位置（例えば緯度経度）及び撮影位置（例えば緯度経度）の情報に基づき、アプリ用サーバ２００から地図を取得する。このとき地図取得部４０５が取得する地図は、被写体位置及び撮影位置の両者が含まれる範囲及び縮尺とするのが好ましい。
【００４６】
地図取得部４０５が取得した地図は、図５に例を示したような表示画面１４０ｄとして、地図表示制御部４０７ｄが表示部１４０上に表示する。表示画面１４０ｄには、撮影画像にかかる被写体（撮影対象である施設や観光スポット）の位置と、撮影位置（撮影ポイント）とを確認するための位置アイコン１４９ａ及び１４９ｂを地図表示制御部４０７ｄは表示している。被写体の位置の情報や撮影位置の情報（それぞれ、緯度経度として座標表現される）は、画像取得部４０１がアプリ用サーバ２００から取得する画像と共に、画像情報に含まれている。よって、それらの情報に基づき、地図表示制御部４０７ｄは位置アイコン１４９ａ及び１４９ｂを地図上に配置する。
【００４７】
（４  データベース構成）
次に、アプリ用サーバ２００のデータベース２３０の内容を図７及び図８を参照して説明する。尚ここでは、地図ＤＢ２３１については説明を省略し、施設情報ＤＢ２３３、並びに画像情報ＤＢ２３５について説明する。
【００４８】
アプリ用サーバ２００が有するデータベース２３０には、上述の通り地図ＤＢ２３１、施設情報ＤＢ２３３、及び画像情報ＤＢ２３５が含まれる。図７は、施設情報ＤＢ２３３の具体例、図８は画像情報ＤＢ２３５の具体例を示す図である。
【００４９】
図７に具体例を示す施設情報ＤＢ２３３には、各施設に対して、施設ＩＤ、ＰＯＩ（Ｐｏｉｎｔ  Ｏｆ  Ｉｎｔｅｒｅｓｔ）ＩＤ、施設座標、名称、住所、電話番号、説明文等の各種情報が含まれる。
【００５０】
施設ＩＤやＰＯＩＩＤは、各施設に対して一意に割り当てられる識別子である。また、ＰＯＩＩＤは、施設情報ＤＢ２３３と画像情報ＤＢ２３５とを紐付けるために使用される。
【００５１】
図８に例を示すとおり、画像情報ＤＢ２３５には、各画像に一意に割り当てられる画像ＩＤ、ＰＯＩＩＤ、被写体位置（被写体の緯度経度）及び撮影位置（撮影ポイントの緯度経度）等の情報、並びに撮影に使用した撮影機器、撮影時のカメラの絞り値、及び撮影時の天気等の設定情報等が管理されている。尚、これらの情報は、例えば付加情報が付与されたＥｘｉｆ形式の画像であれば、このＥｘｉｆの付加情報から取得することが可能である。
【００５２】
ＰＯＩＩＤは、上述の通り施設情報ＤＢ２３３と連携を取るために割り当てられるＩＤであるので、同じ場所（ＰＯＩ）については、施設情報ＤＢ２３３上でも画像情報ＤＢ２３５上でも、同じＩＤが割り当てられる。
【００５３】
アプリケーション４００は、当該画像情報ＤＢ２３５上で管理される被写体位置や撮影位置の情報を含む画像情報を取得することで、上述の表示画面１４０ｄで、被写体位置や撮影位置を表示することができる。
【００５４】
（５  画像表示の処理の流れ）
図９を参照しながら、携帯端末１００において、アプリケーション４００が撮影画像の撮影位置や撮影対象を示す地図を表示するまでの処理の流れを説明する。図９は、アプリケーション４００が撮影画像の撮影位置や撮影対象を示す地図を表示する際の処理の流れを示すフローチャートである。
【００５５】
入力部１３０へのユーザ操作等に応じて画像を表示するイベントが発生すると（Ｓ９０１のＹｅｓ）、画像取得部４０１は、アプリ用サーバ２００に対し、無線通信部１２０から画像の取得要求を送信する（Ｓ９０３）。アプリ用サーバ２００の制御部２２０は、受け取った画像取得要求に対して、条件に合致する画像情報（複数であっても良い）を携帯端末１００へ送信する。
【００５６】
アプリケーション４００の画像取得部４０１が無線通信部１２０を介して画像情報を受信すると（Ｓ９０５）、画像情報表示制御部４０７ｂは、例えば図２の表示画面１４０ａや図３の表示画面１４０ｂ等を生成して画像を表示部１４０に表示する（Ｓ９０７）。
【００５７】
画像表示時に、撮影情報の表示を求める操作入力を入力処理部４０７ａが受け付けると（Ｓ９０９のＹｅｓ）、画像情報表示制御部４０７ｂは、画像取得部４０１が取得した画像情報に含まれる設定情報である、天気やカメラの種類、絞り値等の情報を、表示画面１４０ｃとして表示する（Ｓ９１１）。
【００５８】
撮影位置の表示を指示する入力部１３０へのユーザ操作を入力処理部４０７ａが受け付けると（Ｓ９１３のＹｅｓ）、地図取得部４０５は、撮影位置及び被写体位置周辺にかかる地図の取得要求を、アプリ用サーバ２００へ無線通信部１２０から送信する（Ｓ９１５）。アプリ用サーバ２００の制御部２２０は、当該地図の取得要求で指定された条件に合致する地図を探索し、通信部２１０から携帯端末１００へと返す（送信する）。
【００５９】
地図取得部４０５が撮影位置及び被写体位置周辺にかかる地図を無線通信部１２０を介して受信すると（Ｓ９１７）、地図表示制御部４０７ｄは、画像情報に含まれる撮影位置や被写体位置情報に基づいて位置アイコン１４９ａ及び１４９ｂを地図上に配置して、表示画面１４０ｄを表示部１４０上に表示する（Ｓ９１９）。
【００６０】
尚、Ｓ９０９で撮影情報の表示以外を指示するユーザ操作入力を受け付けた場合や（Ｓ９０９のＮｏ）、Ｓ９１３で撮影ポイントの表示以外を指示するユーザ操作入力を受け付けた場合には（Ｓ９１３のＮｏ）、アプリケーション４００は、ユーザ操作に応じた処理を実行する（Ｓ９２１）。
【００６１】
（６  本実施形態の効果）
以上説明したように、本実施形態の携帯端末１００では、表示部１４０上に表示した撮影画像にかかる撮影位置（撮影ポイント）と被写体の位置（撮影対象の位置）とを、地図上に示した表示画面１４０ｄを表示可能である。ユーザは、当該地図を確認することで、当該画像にかかる撮影位置及び被写体の位置等を、それらの位置関係を含めて視覚的かつ直感的に把握することができるようになる。
【００６２】
また、撮影位置と被写体の位置とを同時に確認可能であるので、被写体である観光スポットをめぐった後に、その撮影位置に移動して写真を撮影するような、観光ルートをユーザに提供することも可能となる。
【００６３】
このためには例えば、以下のような方法が考えられる。まず、観光スポットと、撮影位置とを含む複数の地点と、移動手段（例えば、徒歩なのか、自転車なのか、自動車なのか）との選択を入力処理部４０７ａが受け付ける。すると、地図取得部４０５がそれらの条件を送信し、アプリ用サーバ２００は、適当な観光ルート（ユーザに推薦する観光ルート）を計算（探索）して返信する。アプリケーション４００の地図表示制御部４０７ｄは、受信した推薦観光ルートを表示部１４０上に表示してユーザに提案する、といった手法が考えられる。このとき、施設毎に要する滞在時間等も施設情報ＤＢ２３３内で管理しておけば、アプリケーション４００は、観光ルートを巡る際に必要な所要時間も、観光ルートと合わせて表示部１４０上に表示することが可能となる。
【００６４】
或いは、撮影位置が指定された場合に、当該撮影位置だけでなく、撮影対象である観光スポットも含む観光ルートをユーザに提供するようにしても良い。
【００６５】
（７  他の実施形態）
上記実施形態では、画像を、撮影位置等の情報と共に画像情報として受信しているが、これに限られるものではなく、別々に受信しても良い。
【００６６】
また、上記実施形態では、カメラ等により撮影した撮影画像を例に説明を行ったが、これに限られるものではない。例えば、表示画面１４０ａ等で表示等する画像はイラスト（絵）であり、その対象物（上記撮影画像の場合の被写体に相当する）の位置と、当該画像（イラスト）を描いた位置（画像に対応する位置）とが、がそれぞれ上記撮影対象の位置（被写体の位置）と撮影ポイントとに対応するように、上記実施形態を実現しても良い。
【００６７】
上記実施形態では、画像が画像情報に含まれる場合を例に説明を行ったが、これに限られるものではない。例えば、画像情報と画像とを別に管理し、まず画像又は画像情報の一方を携帯端末１００がアプリ用サーバ２００から取得し、その後、それに紐付けられた他方（まず画像を取得したのであれば、当該画像に対応する画像情報、まず画像情報を取得したのであれば、当該画像情報に対応する画像）を取得するようにしても良い。このような場合には、例えば画像ＩＤ等を利用して両者を紐付けることができる。
【００６８】
（８  付記事項）
尚、前述の各実施形態の構成は、組み合わせたり或いは一部の構成部分を入れ替えたりしてもよい。また、本発明の構成は前述の実施形態のみに限定されるものではなく、本発明の要旨を逸脱しない範囲内において種々変更を加えてもよい。
【符号の説明】
【００６９】
１３０・・・入力部、１４０・・・表示部、２００・・・アプリ用サーバ、４００・・・アプリケーション、４０１・・・画像取得部、４０３・・・施設情報取得部、４０５・・・地図取得部、４０７・・・ユーザインタフェース部、４０７ａ・・・入力処理部、４０７ｂ・・・画像情報表示制御部、４０７ｃ・・・施設情報表示制御部、４０７ｄ・・・地図表示制御部
【図１】
2013104973.tif 000003
【図２】
2013104973.tif 000004
【図３】
2013104973.tif 000005
【図４】
2013104973.tif 000006
【図５】
2013104973.tif 000007
【図６】
2013104973.tif 000008
【図７】
2013104973.tif 000009
【図８】
2013104973.tif 000010
【図９】
2013104973.tif 000011